(57)【特許請求の範囲】
【請求項１】
ＨＤＣＰ規格に基づく映像・音声のソース機器が接続される入力ラインを複数有し、また、ＨＤＣＰ規格に基づく接続機器がそれぞれ１台以上接続される出力ラインを複数有し、それら入力ラインと出力ラインを、スイッチ手段を介して適宜切り換え接続することで、任意の前記ソース機器と任意の前記接続機器を接続する、スイッチャーにおいて、
前記各出力ラインに接続された前記接続機器との間で認証データを交換することでＨＤＣＰ認証を行う際に、前記認証データを収集して前記各出力ライン毎にＨＤＣＰ接続情報を生成し、メモリに格納する接続情報収集格納手段、
前記ＨＤＣＰ接続情報を表示する接続情報出力手段、
を有し、
前記ＨＤＣＰ接続情報は、前記各出力ラインに接続された接続機器の接続台数、カスケード接続の段数、最大接続台数超過フラグ、カスケード接続の最大接続段数超過フラグ、を含む形で構成され、
前記接続情報出力手段は、前記スイッチ手段により前記入力ラインと出力ラインを切り換え接続する際に、前記ＨＤＣＰ接続情報を参照して、当該接続の切り換え動作を行った際に、互いに接続される前記スイッチャー及び接続機器において、最大接続台数又は最大接続段数の超過が生じないかどうかを予め演算し、最大接続台数又は最大接続段数の超過が生じるものと判定された場合には、その旨を表示して警告する、
ことを特徴とするスイッチャー。
【請求項２】
前記接続情報出力手段は、前記ＨＤＣＰ接続情報を前記各出力ライン毎に表示することが出来る、
ことを特徴とする、請求項１記載のスイッチャー。
【請求項３】
前記接続情報出力手段が、最大接続台数又は最大接続段数の超過が生じるとの表示をした場合に、前記スイッチ手段による前記入力ラインと出力ラインを切り換え動作の実行を保留する、切り換え動作保留手段を有する、
請求項１又は２記載のスイッチャー。
【発明の詳細な説明】
【技術分野】
【０００１】
本発明は、映像・音声のソース機器と複数のディスプレイなどの出力機器との間に設置され、ソース機器から出力される映像・音声データを任意の出力機器に切り換え配信することの出来るスイッチャーに係わり、特に著作権保護機能であるＨＤＣＰ(High-band width Digital Contents Protection)に対応したソース機器及び出力機器を接続することの出来るスイッチャーに関する。
【背景技術】
【０００２】
学校や病院、ショッピングセンターなどに設置されるシステムであって、映像・音声のソース機器（以下、単に「ソース機器」という。）からスイッチャーを介して複数の出力機器に映像・音声を出力するAVシステムが知られている。ソース機器が複数の場合、スイッチャーで入力を切り換えることで各出力機器に出力する映像・音声を選択することができる（特許文献１参照）。映像・音声を複数の入力チャンネルに入力して、複数の出力機器に出力可能な出力チャンネルを有する機器をマトリクススイッチャーと呼ぶ（以下、まとめて「スイッチャー」という）。
【０００３】
昨今、映像・音声信号はこれまでのアナログ方式に変わり、デジタル方式にシフトされつつある。高解像度マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ  以下単に「ＨＤＭＩ」という。）に準拠する映像・音声信号であって、デジタルコンテンツ等の不正コピー防止を必要とする著作権保護コンテンツであるものは、ＨＤＣＰによって暗号化されて送受信され、接続に際して各機器間において認証データを相互に遣り取りし、当該認証テータに含まれる暗号キー情報が各機器において互いに認証された場合のみ、入出力が正しく行われる。
【０００４】
ＨＤＣＰ規格では接続台数の上限は１２７台である。しかし一般的にはそれだけの台数に接続して使用されるケースはほとんどないため、発明者らが製造するスイッチャーの仕様において接続可能台数は１６台程度になっているのが現状である。これは使用するＩＣによる制限や、テストコストを上げないという事情によるものである。
【先行技術文献】
【特許文献】
【０００５】
【特許文献１】特開２００４−１７２８００
【発明の概要】
【発明が解決しようとする課題】
【０００６】
ＨＤＣＰに対応したスイッチャーの出力側に接続する機器は、無論ＨＤＣＰに対応していなければならない。これはスイッチャーも含めた各機器の公開鍵をＫＳＶ（Ｋｅｙ  Ｓｅｌｅｃｔｉｏｎ  Ｖｅｃｔｏｒ  鍵選択ベクトル）情報のやり取りによって確認するＨＤＣＰ認証方式を採用しているためである。
【０００７】
また、ＨＤＣＰの規格上は１２７台の機器に映像を配信可能であるが、多くのソース機器の中には接続可能台数が４〜８台程度に制限されているものがある。たとえば最大接続台数が８台というソース機器（入力側）の場合、ＨＤＣＰに対応したスイッチャー（または分配器）１台と、同様にＨＤＣＰに対応したディスプレイ（出力側）７台までが接続可能ということになる。このときスイッチャーの出力端子が余っていたとして、８台目のディスプレイを接続してしまうと、ソース機器から見た接続台数が、９台となり、当該ソース機器の最大接続台数を上回ってしまい、機器相互間のＨＤＣＰ認証ができなくなる。すると、当該ネットワークにおいては、最大接続台数を上回ったソース機器からの映像出力が行われないので、スイッチャーに接続された８台全てのディスプレイでソース機器からの映像が出力されなくなるという現象が起きる。
【０００８】
またＨＤＣＰの規格ではカスケード接続については７段までとなっている。この場合、１出力チャンネルあたりのカスケード段数が８以上にならないようにしなければならない。つまり最大接続台数が装置仕様の範囲内であってもカスケード段数超過によって認証不可となるケースがあることに注意しなければならない。なお、例えばスイッチャーの出力チャンネル１のカスケード段数が５、出力チャンネル２のカスケード段数が４であった場合、スイッチャーはソース機器に対してはカスケード段数５を報告することになるため、そのことのみで認証不可となることはない。
【０００９】
このため、ＡＶシステムを導入する際には、まず入力用および出力用の機器をそれぞれ何台にするか、またカスケード接続段数を何段にするかを最初に確認する必要がある。ＨＤＣＰ認証を必要としない機器では接続台数に制限はないので気にすることはないが、ＨＤＣＰ認証が必要なデジタル機器でＡＶシステムを構成する際には注意しなければならない。最悪の場合、ＡＶシステム構築後すべてのディスプレイに映像が映らなくなるといったリスクがある。
【００１０】
たとえ接続台数の制限を守ってシステムを導入しても、その後ＡＶシステム設計者以外の人間が当初の予定になかった出力機器を接続してしまったために最大接続数を越え、ＨＤＣＰ認証できずにすべての出力機器から出力されなくなる、といったケースも想定される。そのような場合、原因がケーブルなどの機材にあるのか、ＨＤＣＰの接続台数や接続段数の制限によるものなのかを調べるためにはアナライザ等、専用機器でないと情報が取得できないため、現場では即座に判断できず問題解決に時間がかかってしまうという問題があった。
【００１１】
このような状況で機器側から不具合原因が示されるようになれば、ＡＶシステム復旧におおいに役立つことは論を待たない。
【００１２】
本発明は、上記した事情に鑑み、ＨＤＣＰ認証時に取得した認証データに基づいて、出力毎の接続台数、接続段数、最大接続台数超過フラグ、最大接続段数超過フラグなどのＨＤＣＰ接続情報をスイッチャー内部に保存し、表示できるようにしたスイッチャーを提供することを目的とするものである。
【課題を解決するための手段】
【００１３】
上述する課題を解決するための第１の観点は、ＨＤＣＰ規格に基づく映像・音声のソース機器が接続される入力ライン（Ｎ１,Ｎ２，Ｎ３）を複数有し、また、ＨＤＣＰ規格に基づく接続機器（Ｄ１〜Ｄ８）がそれぞれ１台以上接続される出力ライン（Ｌ１，Ｌ２，Ｌ３）を複数有し、それら入力ラインと出力ラインを、スイッチ手段（６）を介して適宜切り換え接続することで、任意の前記ソース機器と任意の前記接続機器を接続する、スイッチャー（２）において、
前記各出力ラインに接続された前記接続機器との間で認証データを交換することでＨＤＣＰ認証を行う際に、前記認証データを収集して前記各出力ライン毎にＨＤＣＰ接続情報（ＨＣＩ）を生成し、メモリ（９）に格納する接続情報収集格納手段（７，１０）、
前記ＨＤＣＰ接続情報を表示する接続情報出力手段（１０）、
を有し、
前記ＨＤＣＰ接続情報は、前記各出力ラインに接続された接続機器の接続台数、カスケード接続の段数、最大接続台数超過フラグ、カスケード接続の最大接続段数超過フラグ、を含む形で構成され、
前記接続情報出力手段は、前記スイッチ手段により前記入力ラインと出力ラインを切り換え接続する際に、前記ＨＤＣＰ接続情報を参照して、当該接続の切り換え動作を行った際に、互いに接続される前記スイッチャー及び接続機器において、最大接続台数又は最大接続段数の超過が生じないかどうかを予め演算し、最大接続台数又は最大接続段数の超過が生じるものと判定された場合には、その旨を表示して警告することを特徴として構成される点である。
【００１４】
また、上述する課題を解決するための第２の観点は、前記接続情報出力手段は、前記ＨＤＣＰ接続情報を前記各出力ライン毎に表示することが出来る、
ことを特徴として構成される点である。
【００１７】
また、上述する課題を解決するための第３の観点は、前記接続情報出力手段が、最大接続台数又は最大接続段数の超過が生じるとの表示をした場合に、前記スイッチ手段（６）による前記入力ラインと出力ラインを切り換え動作の実行を保留する、切り換え動作保留手段（１０）を有する、
点である。
【発明の効果】
【００１８】
上記した第１の観点によれば、接続情報出力手段（１０）により、ＨＤＣＰ接続情報が表示されるので、当該表示を参照することで、出力ラインにおけるＨＤＣＰ接続機器の接続状態を直ちに認識することが出来、接続台数超過や接続段数の超過を未然に防止することが出来る。また、各出力ラインに接続された接続機器の接続台数、カスケード接続の段数、最大接続台数超過フラグ、カスケード接続の最大接続段数超過フラグがＨＤＣＰ接続情報として格納されるので、接続機器の接続台数超過や接続段数の超過を、各出力ライン毎に直ちに認識することが出来る。さらに、スイッチ手段により前記入力ラインと出力ラインを切り換え接続する際に、切り換え後に最大接続台数又は最大接続段数の超過が生じるものと判定された場合には、その旨を表示して警告するので、実際に接続状態が切り換えられ接続機器に映像・音声が出力されなくなる事態の発生を未然に防止することが出来る。
【００１９】
上記した第２の観点によれば、ＨＤＣＰ接続情報が各出力ライン毎に表示されるようにすることで、各出力ラインにおけるＨＤＣＰ接続機器の接続状態を直ちに認識することが出来る。
【００２２】
また、第３の観点によれば、切り換え動作保留手段（１０）が、最大接続台数又は最大接続段数の超過が生じる場合には、スイッチ手段（６）による入力ラインと出力ラインの切り換え動作の実行を保留するので、実際に接続状態が切り換えられて接続機器に映像・音声が出力されなくなる事態の発生を未然に防止することが出来る。
【００２３】
なお、括弧内の番号等は、図面における対応する要素を示す便宜的なものであり、従って、本記述は図面上の記載に限定拘束されるものではない。
【図面の簡単な説明】
【００２４】
【図１】図１は、本発明が適用される、スイッチャーを中心としたＡＶシステムの一例を示すブロック図。
【図２】図２は、スイッチャーの一例を示す制御ブロック図。
【図３】図３は、ＨＤＣＰ情報マップの一例を示す図。
【発明を実施するための形態】
【００２５】
以下、図面に基づき、本発明の実施例を説明する。
【００２６】
ＡＶシステム１は、図１に示すように、スイッチャー２を有しており、スイッチャー２には、３個（複数）の入力ラインＮ１，Ｎ２，Ｎ３と３個（複数）の出力ラインＬ１，Ｌ２，Ｌ３が設けられている。入力ラインＮ１，Ｎ２，Ｎ３には、それぞれＤＶＤプレーヤ、ビデオプレーヤ、パソコンなどのＨＤＣＰ規格に基づく映像・音声に関するソース機器がソース１、ソース２、ソース３としてそれぞれ接続自在に設けられている。また、各出力ラインＬ１，Ｌ２，Ｌ３には、ＨＤＣＰ規格に基づく１台以上の接続機器が接続自在に設けられている。即ち、出力ラインＬ１には、映像・音声出力機器としてのディスプレイ、ＨＤＭＩ延長器、スイッチャー等の接続機器Ｄ１が接続され、接続機器Ｄ１には、接続機器Ｄ２及びＤ３が２段のカスケード接続を形成する形で接続している。また、出力ラインＬ２には、１台の接続機器Ｄ４が接続しており、出力ラインＬ３には、接続機器Ｄ５が接続され、接続機器Ｄ５には、接続機器Ｄ６及びＤ７が２段のカスケード接続を形成する形で接続している。接続機器Ｄ８については、後述する。
【００２７】
スイッチャー２は、図２に示すように、主制御部３を有しており、主制御部３にはバス線５を介してスイッチ制御部６，通信制御部７，ＨＤＣＰ情報メモリ９，ネットワーク管理部１０及びディスプレイ１１が接続している。なお、図２に示した図は、本発明に関連のある部分のみを示したものであり、スイッチャー２の全ての構成要素を示したものではない。
【００２８】
スイッチャー２は以上の様な構成を有するので、スイッチャー２は、図示しないパネルキーや外部制御受付部などの入力部を介して入力されるオペレータからの切り換え指示に基づいて、スイッチ手段としてのスイッチ制御部６が、各ソース１，２及び３が接続された各入力ラインＮ１，Ｎ２，Ｎ３と、接続機器Ｄ１〜Ｄ７が接続された各出力ラインＬ１，Ｌ２，Ｌ３の接続状態を任意に切り換えて、任意のソース１〜３と任意の出力ラインＬ１，Ｌ２，Ｌ３を接続する。すると、例えば、ソース１から出力される映像・音声信号は、スイッチャー２で接続された出力ラインＬ３の接続機器Ｄ５〜Ｄ７に出力され、ソース２から出力される映像・音声信号は、スイッチャー２で接続された出力ラインＬ１の接続機器Ｄ１〜Ｄ３に出力され、ソース３から出力される映像・音声信号は、スイッチャー２で接続された出力ラインＬ２の接続機器Ｄ４に出力される。この接続態様は全く任意であり、スイッチャー２の入力部を介して入力ラインと出力ラインとの間で自在に設定することが出来る。
【００２９】
こうして、スイッチャー２により、あるソースとある出力ラインに接続された１台以上の接続機器が接続されたところで、スイッチャー２により接続されたソースと接続機器及び当該スイッチャー２相互間で、認証データを交換することでＨＤＣＰ認証を行なって、当該ＨＤＣＰ認証が成功した場合にのみ、ソースからの映像・音声信号がスイッチャー２を介して当該ソースに接続された接続機器に伝達され、表示される。
【００３０】
この認証に際して、スイッチャー２の主制御部３は、ネットワーク管理部１０に対して、ソースと接続機器との間で、通信制御部７を介して遣り取りした認証データに基づいて、ＨＤＣＰ情報メモリ９内にＨＤＣＰ情報マップＭＡＰを作成し保管するように指令する。
【００３１】
ＨＤＣＰ情報マップＭＡＰには、図３に示すように、スイッチャー２の各出力ラインＬ１，Ｌ２，Ｌ３毎に当該出力ラインに関するＨＤＣＰ接続情報ＨＣＩが作成格納されており、具体的には各出力ラインについて当該出力ラインに接続された接続機器の接続台数、カスケード接続の段数、最大接続台数超過フラグ、カスケード接続の最大接続段数超過フラグなどの情報である。これらの情報は、スイッチャー２が通信制御部７を介して各接続機器と遣り取りする認証データの一部として取得することが可能なことから、こうした認証データに基づいてネットワーク管理部１０がＨＤＣＰ情報メモリ９内にＨＤＣＰ情報マップＭＡＰを生成格納する。なお、ＨＤＣＰ情報マップＭＡＰの形式はどのようなものでもよく、図３に示すような表形式に限らず、各ＨＤＣＰ接続情報ＨＣＩをソフトウエア上で、フラグ、その他の属性データを付与することで関連付ける形で生成することも可能である。
【００３２】
このＨＤＣＰ接続情報ＨＣＩは、オペレータが図示しないパネルキーや外部制御受付部などの入力部を操作して表示指令を入力することで、ディスプレイ１１等に各出力ライン毎Ｌ１，Ｌ２，Ｌ３に適宜表示させることが出来る。従って、オペレータは、ディスプレイ１１などに表示されるＨＤＣＰ接続情報ＨＣＩを参照することで、出力ラインＬ１，Ｌ２，Ｌ３毎のＨＤＣＰ接続情報、即ち接続機器の接続台数、カスケード接続の段数、最大接続台数超過フラグの有無、カスケード接続の最大接続段数超過フラグの有無を容易に確認することが出来る。特に、最大接続台数超過フラグは、当該出力ラインに接続された接続機器のうちいずれかの機器で、内部的に設定された最大接続可能台数に達した場合に出力され、またカスケード接続の最大接続段数超過フラグは、当該出力ラインに接続された接続機器のうちいずれかの機器で、内部的に設定された最大接続可能段数に達した場合に出力されるので、ＨＤＣＰ規格によらず、独自に（主として、ＨＤＣＰに規格された規格台数や規格段数よりも小さな値に）設定された最大接続可能台数や最大接続可能段数に達した接続機器の存在を予め認識することが出来、極めて有効である。なお、ＨＤＣＰ接続情報のディスプレイ１１などの出力手段への表示は、オペレータからの指令によらず、常時ディスプレイ１１上に表示させる構成としても良い。なお、接続情報を出力する接続情報出力手段としては、ディスプレイ１１に限らず、ＨＤＣＰ接続情報をRS-232C/LANなどの通信回線を介して外部に出力するような構成とすることも当然可能である。
【００３３】
また、ネットワーク管理部１０は、ＨＤＣＰ情報マップＭＡＰを作成した際に、最大接続台数超過フラグ又は最大接続段数超過フラグがＯＮとなっている出力ラインの有無を検索し、ＯＮとなっている出力ラインが合った場合には、ディスプレイ１１にその旨を表示し、オペレータに警告する。これにより、例えば、図３に示すように、出力ラインＬ１について、最大接続台数超過フラグがＯＮになっていた状態で、図１に示すように、オペレータが不用意に増設用の接続機器Ｄ８を出力ラインＬ１に接続された接続機器Ｄ２に接続しようとして、最大接続台数が超過して、出力ラインＬ１に接続された接続機器Ｄ１〜Ｄ３及びＤ８の全てで映像・音声出力が不可能となる事態の発生を未然に防止することが出来る。ディスプレイ１１での警告は、多様な態様が考えられ、例えば、「これ以上、出力ラインＸ（Ｘは具体的な数値）には接続機器を接続しないで下さい」や、「これ以上、出力ラインＸにはカスケード接続により接続機器を接続しないで下さい」等の表示を行ってもよく、更には、外部の機器にそうした警告を送信して、離れた場所にいるオペレータに通知する構成でも良い。この警告の出力態様は、ディスプレイ１１に限らず、前述の接続情報出力手段を用いるものであれば、例えば、警告信号などをRS-232C/LANなどの通信回線を介して外部に出力するなど、どのような態様でもよい。
【００３４】
これは、最大接続段数超過フラグについても同様であり、例えば、図３に示すように、出力ラインＬ３について、最大接続段数超過フラグがＯＮになっていた状態で、図１に示すように、オペレータが不用意に増設用の接続機器Ｄ８を出力ラインＬ３に接続された接続機器Ｄ７にカスケード接続しようとして、最大接続段数が超過して、出力ラインＬ２に接続された接続機器Ｄ５〜Ｄ８の全てで映像・音声出力が不可能となる事態の発生を未然に防止することが出来る。
【００３５】
更に、ネットワーク管理部１０は、オペレータの入力部を介した切り換え指令に基づいてスイッチ制御部６が入力ラインＮ１，Ｎ２，Ｎ３と出力ラインＬ１，Ｌ２，Ｌ３の間の接続状態を切り換え変更しようとした場合（単一入力ラインに対して複数の出力ラインを接続することも可能）、ＨＤＣＰ情報メモリ９内のＨＤＣＰ情報マップＭＡＰを参照して、当該接続の切り換え動作を行った際に、互いに接続されるスイッチャー２及び接続機器において、最大接続台数又は最大接続段数の超過が生じないかどうかを予め演算し、最大接続台数又は最大接続段数の超過が生じるものと判定された場合には、当該切り換え指示の実行を保留し、ディスプレイ１１に、その旨を表示して警告し、映像・音声の出力が切り換えられた出力ラインにいおいて映像・音声出力が不可能となる事態の発生を未然に防止する。なお、この警告は、前述した接続情報出力手段を介して行なわれ、その出力態様は、ディスプレイ１１に限らず、例えば、警告信号などをRS-232C/LANなどの通信回線を介して外部に出力するなど、どのような態様でもよい。更に、接続情報出力手段の出力態様としては、警告ランプの点灯、警告ブザーの駆動、警告音声による警告など各種の態様が考えられる。スイッチャー２は、単一のソースに対して複数の出力ラインを接続することも可能なことから、こうした機能は有効である。
【００３６】
また、ネットワーク管理部１０によるＨＤＣＰ情報マップＭＡＰの更新は、ＨＤＣＰ情報の遣り取りがスイッチャー２を中心とする入力ラインＮ１〜Ｎ３及び出力ラインＬ１〜Ｌ３間で行われる度に更新されるので、ＨＤＣＰ情報メモリ９内には、常にスイッチャー２の切り換え接続状態に合わせたＨＤＣＰ情報マップＭＡＰが生成され格納されることとなる。
【００３７】
また、何らかの原因で、接続機器からの映像・音声の出力が為されなくなったような場合には、オペレータはスイッチャー２の警告表示を参照する。この場合、スイッチャー２のディスプレイ１１には、各出力ラインＬ１，Ｌ２，Ｌ３または、現在のソース１，ソース２，ソース３との接続が行われている出力ラインＬ１，Ｌ２，Ｌ３の組み合わせ毎に、最大接続台数又は最大接続段数の超過が生じているか否かが演算され、いずれかに超過が生じている場合には、その旨、表示することで外部に警告している。例えば、スイッチャー２により、ソース１と出力ラインＬ１，Ｌ２が接続され、ソース２には、何らの出力ラインも接続されず、ソース３には、出力ラインＬ３が接続されている場合には、出力ラインＬ１及びＬ２全体で最大接続台数又は最大接続段数の超過が生じているか否かを演算して、いずれかに超過が生じている場合には、その旨、ディスプレイ１１などの警告手段を介して外部に警告する。
【００３８】
従って、ＨＤＣＰ規格を知らない関係者がスイッチャー２のオペレータに何らの通知をすることなく、不用意に追加の接続機器Ｄ８を出力ラインＬ１又はＬ２又はＬ３に追加接続して当該出力ラインＬ１又はＬ２又はＬ３に接続されている全ての接続機器に映像・音声が出力されない状態となったとしても、スイッチャー２の警告表示を参照することで、当該事故が、ＨＤＣＰの制限違反で生じているのか、それ以外の原因、例えば出力ラインの信号伝達回路の断線などにより生じているのかを、ディスプレイ１１の警告表示を参照することで簡単に判断することが出来る。
【００３９】
特に、ショッピングセンターや大規模小売店などでは、そうした映像・音声出力機器などの接続機器の配置換え、増設、移設などが頻繁にあるので、こうしたことは容易に起こり得る。したがって、そうしたトラブルにも容易に対処することが出来る。なお、既に述べたように、ＨＤＣＰ情報マップＭＡＰは、スイッチャー２が当該スイッチャー２の各出力ラインＬ１，Ｌ２，Ｌ３に接続された映像・音声出力機器などの接続機器とＨＤＣＰ認証を行う際に通常交換される認証データに基づいて作成されるので、各出力ラインＬ１，Ｌ２，Ｌ３に接続される接続機器Ｄ１〜Ｄ８に、特別なソフトウエアやハードウエアが不要で、本発明のスイッチャー２を既存のソース機器及び接続機器とから構成されるネットワークに導入するだけで簡単に本発明の実施が可能となる利点がある。
【符号の説明】
【００４０】
２……スイッチャー
６……スイッチ手段（スイッチ制御部）
７……接続情報収集格納手段（通信制御部）
９……メモリ（ＨＤＣＰ情報メモリ）
１０……接続情報収集格納手段、接続情報出力手段、切り換え動作保留手段（ネットワーク管理部）
Ｄ１〜Ｄ８……接続機器
Ｌ１，Ｌ２，Ｌ３……出力ライン
Ｎ１．Ｎ２，Ｎ３……入力ライン
ＨＣＩ……ＨＤＣＰ接続情報
【図１】
0005762126.tif 000002
【図２】
0005762126.tif 000003
【図３】
0005762126.tif 000004